【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
広域監視システム（１０）内の電子装置（３２）のプロセッサ（４２）により実行されたときに、前記プロセッサ（４２）が、
前記広域監視システム（１０）からネットワークインタフェース（４６）を介して同期コマンド（８２）を受け、前記同期コマンド（８２）は、前記同期コマンド（８２）にエンコードされるタイムスタンプ（８４）によってグローバルクロックと時刻同期され、
前記同期コマンド（８２）にエンコードされる送信側ＩＤ（８６）及び受信側ＩＤ（８８）に少なくとも部分的に基づき前記同期コマンド（８２）を受け入れる或いは拒絶する、
前記同期コマンド（８２）にエンコードされるスケジューラタイム（９２）に少なくとも部分的に基づき前記同期コマンド（８２）にエンコードされる制御コマンド（８０）の実行をスケジューリングする、
前記同期コマンド（８２）にエンコードされるアプリケーションＩＤ（９０）に少なくとも部分的に基づき前記プロセッサ（４２）を用いて前記同期コマンド（８２）にエンコードされる前記制御コマンド（８０）を実行する、
複数の命令を記憶する持続性有形コンピュータ可読媒体。
【請求項２】
前記同期コマンド（８２）にエンコードされる前記制御コマンド（８０）を実行するための前記命令は、前記同期コマンド（８２）にエンコードされるデータ検索制御コマンド（８０）に応じて記憶された同期フェーザデータセットと同期フェーザ測定ユニット（２２）の記憶された構成とを検索して前記同期フェーザ測定ユニット（２２）へ送信するための命令を備え、前記同期フェーザ測定ユニット（２２）の前記構成は、前記同期フェーザデータセットが生成された時期と対応する、請求項１記載の媒体。
【請求項３】
前記制御コマンド（８０）の実行をスケジューリングするための前記命令は、前記同期コマンド（８２）にエンコードされるタイムスタンプ（８４）に少なくとも部分的に基づいて前記制御コマンド（８０）のスケジューリングに優先順位を付けるための命令を備える、請求項１または２に記載の媒体。
【請求項４】
前記スケジューラタイム（９２）に少なくとも部分的に基づき前記制御コマンド（８０）の実行をスケジューリングする前記命令は、前記広域監視システム（１０）内の様々な装置（３２）での前記制御コマンド（８０）の同期された実行を可能にする、請求項１乃至３のいずれかに記載の媒体。
【請求項５】
前記同期フェーザ測定ユニット（２２）に結合される電力設備から受けられる測定値に少なくとも部分的に基づいて同期フェーザ測定ユニット（２２）で同期フェーザデータセットを生成するための命令と、
生成された前記同期フェーザデータセットと前記同期フェーザ測定ユニット（２２）の構成とを記憶するための命令と、
生成された前記同期フェーザデータセットをタイムアライメントして集計するための命令と、
前記集計データセットをプロトコル固有データセットへマッピングするための命令と、
を備える、請求項１乃至４のいずれかに記載の媒体。
【請求項６】
広域監視システム（１０）における装置（３２）であって、
プロセッサ（４２）と、
複数の命令を記憶するメモリと、
を備え、
前記複数の命令が、前記プロセッサ（４２）により実行されたときに、前記プロセッサ（４２）が、
生成された同期フェーザデータセットと、該同期フェーザデータセットが生成された時点に対応する同期フェーザ測定ユニット（２２）の構成を記憶することであって、前記同期フェーザ測定ユニット（２２）が前記装置（３２）に結合される電力設備により収集される測定値に少なくとも部分的に基づいて同期フェーザデータセットを生成するように構成される、前記記憶することと、
データ検索制御コマンド（８０）に応じて記憶された前記同期フェーザデータセットと前記構成とを検索して前記同期フェーザ測定ユニット（２２）へ送信するように構成され、前記データ検索制御コマンド（８０）が記憶された前記同期フェーザデータセットを特定することと、
前記広域監視システム（１０）内の第２の装置（３６）から受けられる同期コマンド（８２）を利用することであって、前記同期コマンド（８２）は、前記同期コマンド（８２）にエンコードされるタイムスタンプ（８４）によってグローバルクロックと時刻同期され、前記入力ハンドラ（１００）は、前記同期コマンド（８２）にエンコードされる送信側ＩＤ（８６）及び受信側ＩＤ（８８）に少なくとも部分的に基づいて前記同期コマンド（８２）を受け入れるべきか或いは拒絶すべきかどうかを決定するように構成される、前記利用することと、
前記同期コマンド（８２）にエンコードされるスケジューラタイム（９２）に少なくとも部分的に基づいて、受け入れられた前記同期コマンド（８２）にエンコードされる前記データ検索制御コマンド（８０）の実行をスケジューリングすることと、
を実行する装置（３２）。
【請求項７】
複数の前記同期フェーザ測定ユニット（２２）を備え、前記同期フェーザデータアーカイブは、記憶された前記同期フェーザデータセットと前記構成とを検索して前記複数の同期フェーザ測定ユニット（２２）のうちの１つへ送信するように構成され、前記複数の同期フェーザ測定ユニット（２２）のうちの１つが前記同期フェーザデータセットを生成する、請求項６記載の装置（３２）。
【請求項８】
前記複数の命令は、開始検索時間と停止検索時間とを伴う前記記憶された同期フェーザデータセットを特定し、前記記憶された同期フェーザデータセットが前記開始検索時間及び前記停止検索時間に対応する、請求項６または７に記載の装置（３２）。
【請求項９】
前記複数の命令は、前記広域監視システム（１０）内の他の装置と同期される実行を容易にするべく前記データ検索制御コマンド（８０）の実行をスケジューリングするように構成される、請求項６乃至８のいずれかに記載の装置（３２）。
【請求項１０】
前記同期コマンドマネージャ（１０６）は、前記同期コマンド（８２）にエンコードされるタイムスタンプ（８４）に少なくとも部分的に基づいて前記データ検索制御コマンド（８０）のスケジューリングに優先順位を付けるように構成される、請求項６乃至９のいずれかに記載の装置（３２）。
【請求項１１】
前記入力ハンドラ（１００）は、受信側ＩＤ（８８）を装置ＩＤと照合し、送信側ＩＤ（８６）を前記装置（３２）が前記同期コマンド（８２）をそこから受けることができる他の装置のリストと照合することにより、前記同期コマンド（８２）を受け入れるべきか或いは拒絶すべきかどうかを決定するように構成される、請求項６乃至１０のいずれかに記載の装置（３２）。
【請求項１２】
生成された前記同期フェーザデータセットをタイムアライメントして集計するとともに、前記第２の装置（３６）により利用されるプロトコルに少なくとも部分的に基づいて集計データセットをプロトコル固有データセットへマッピングするように構成されるプロトコル固有データセットアグリゲータ（７２）を備える、請求項６乃至１１のいずれかに記載の装置（３２）。
【請求項１３】
複数のプロトコル固有データセットアグリゲータ（７２）を備え、異なるサンプリングレートを有する生成されたデータ同期フェーザデータセットが異なるプロトコル固有データセットアグリゲータ（７２）によって利用される、請求項１２記載の装置（３２）。
【請求項１４】
前記装置（３２）がリレーであり、前記広域監視システム（１０）が配電網を監視するように構成される、請求項６乃至１３のいずれかに記載の装置（３２）。